(57)【要約】【課題】従来の表示装置においては、コストを抑えてしかも煌びやかで目立つ表示ができるようにすること、設備として無駄を無くすこと。【解決手段】本考案の表示装置は、一対の透明または半透明の表層用シートまたはフィルム材と、文字表示及び図形または図柄表示を印刷した一対の透明な表示用シートまたはフィルム材と、高反射の金属を蒸着した一枚の反射用シートまたはフィルム材とからなり、前記反射用シートまたはフィルム材を中心にして、その両側面に表示用シートまたはフィルム材と、表層用シートまたはフィルム材とが一体的に積層された構成であるため、構成が簡単であると共に、無駄が全くない構成になり、しかも、中心部に配した反射用シートまたはフィルム材により照明光を反射して表示用シートまたはフィルム材に印刷した表示部分を鮮明に且つ煌びやかに表出させることができるのであり、表示効果を一段と向上させることができる。【選択図】図３
0003123838.tif 000002
【実用新案登録請求の範囲】
【請求項１】
一対の透明または半透明の表層用シートまたはフィルム材と、文字表示及び図形または図柄表示を印刷した一対の透明な表示用シートまたはフィルム材と、高反射の金属を蒸着した一枚の反射用シートまたはフィルム材とからなり、
前記反射用シートまたはフィルム材を中心にして、その両側面に表示用シートまたはフィルム材と、表層用シートまたはフィルム材とが一体的に積層された構成である
ことを特徴とする表示装置。
【請求項２】
一つの側端部に支持部が突出形成されている
ことを特徴とする請求項１に記載の表示装置。
【請求項３】
前記一対の透明または半透明の表層用シートまたはフィルム材の間に、前記一枚の反射用シートまたはフィルム材を挟み、予め一つの側端部で溶着して表示装置用の基材としてある
ことを特徴とする請求項１に記載の表示装置。
【考案の詳細な説明】
【技術分野】
【０００１】
本考案は、例えば、パチンコ機やスロットマシンなどの各種遊技機における個別の情報を表示するための表示装置に関するものである。
【背景技術】
【０００２】
この種遊技機における個別の情報というのは、パチンコホールなどの遊技場において、例えば、大当たりした時、つまり、フィーバー状態になった時や、前日に複数回大当たりした機械であるとか、比較的出玉率が良い機械であるとか、個々の機械についての情報を表示して遊技者に対するサービスを行っている。
そのために、従来の表示の仕方、即ち、表示装置または表示プレートしては、複数のものが公知になっている。
【０００３】
その公知例１としては、例えば、パチンコ機に取付けてパチンコ機に関する情報を表示する表示板であって、前記情報が表裏面に記載された同一形状の複数の表示部材をそれぞれ共通する一側縁で折り返し可能に接合し、折り返すことによって各表示部材に記載された複数の表示を選択可能としたパチンコ機の表示板であり、表示を替える度に表示板を取り替える手間が省けること、持ち歩くことができるため、表示変更に迅速に対応できるというものである（特許文献１）。
【０００４】
その公知例２としては、例えば、パチンコ台などの遊技装置の大当たりを知らせるための遊技装置の大当たり表示装置において、前記大当たりの表示を行う大当たり表示プレートと、前記遊技装置からの大当たり信号を受けて前記大当たり表示プレートを表示動作させ、前記大当たりの遊技の終了とともに前記表示動作を停止させる大当たりプレート駆動手段とを有する遊技装置の大当たり表示装置であって、大当たりした遊技装置が直ぐに解るようにしたというものである（特許文献２）。
【０００５】
もう一つの公知例３としては、それぞれ異なる遊技状態を示す表示がなされた複数の表示プレートを備え、これら各表示プレートは、被取付面に固定状態に取り付けられる支持体に、該支持体に対する角度をそれぞれ個別に変更可能に支持されている遊技機用表示具であって、複数の表示プレートの中から適切な表示プレートを選び出して有効表示できるので、サービスを正確かつ迅速に行うことができるというものである（特許文献２）。
【０００６】
さらに、他の公知例４としては、例えば、パチンコ又はスロットマシン等の遊技機または遊技機の近傍に着脱自在に取り付けられ、当該遊技機に関する情報を表示する遊技機用表示プレートであって、前記情報を表示する表示板と、前記遊技機側の所定の部位に設けられ、前記表示板を取り付けるための取付部と、この取付部に設けられた磁石と、前記表示板の側面に少なくとも一部に設けられ、前記磁石に吸着される材料で形成された被取付部とを有する遊技機用表示プレートであり、磁石により表示板を遊技機に簡単且つ迅速に着脱することが可能であるというものである（特許文献３）。
【０００７】
【特許文献１】実開平６−１９７８７号公報
【特許文献２】特開平７−２３６７６１号公報
【特許文献３】特開２００２−２３９１８７号公報
【特許文献４】特開２００５−２６１６６８号公報
【考案の開示】
【考案が解決しようとする課題】
【０００８】
前記公知例１に係る表示板は、表裏面に異なる情報が記載された同一形状の複数の表示部材をそれぞれ共通する一側縁で折り返し可能に接合した表示板であって、その折り返し部分で折り返すことによって各表示部材に記載された複数の表示を選択可能としたものであるが、その表示部における情報表示は単に文字表示だけであって、その部材のベース部分においても目を引くような煌びやかで目立つ表示はなされていないのである。
【０００９】
また、前記公知技術２に係る表示装置は、要するに、遊技装置からの大当たり信号を受けて大当たり表示プレートを表示動作させ、大当たりの遊技の終了とともに前記表示動作を自動的に停止させるという点では、人手を煩わせることなく表示を行うことができるがその表示プレートの表示部分については、面発光を形成するためにＬＥＤチップが内蔵されており、端子部側から電源供給することで面発光するとしており、発光する点では目立つが表示プレート自体が高価であるばかりでなく、ＬＥＤチップ用の配線も必要になり設備全体として複雑になってさらに高価になってしまうのである。
【００１０】
さらに、前記公知技術３の表示具は、異なる遊技状態が表示された複数の表示プレートを支持体に取り付け、その支持体を各遊技機の取付枠にそれぞれ取り付けて使用するというものであり、表示プレート自体は目立つものではないし、例えば、表示プレートが４枚セットであれば１つの支持体に４枚の表示プレートが取り付けられていることになり、遊技機の数が３００台あれば１２００枚の表示プレートを準備して取り付けられることになるが、これら表示板は実際には使用しないものが多く存在することになり、設備として実質的に無駄になってしまうのである。
【００１１】
さらにまた、前記公知技術４の表示プレートは、パチンコ遊技機側の所定の部位に表示板を取り付けるための磁石を備えた取付部を設け、この取付部の磁石に吸着される材料を表示板の側面に設けたものであって、前記磁石により表示板を吸着させてパチンコ遊技機に簡単に取り付けることができるものであるが、表示板の吸着支持を安定させるためには或る程度の吸着強さが磁石に要求されるのであり、この種パチンコ遊技機においては、磁石による不正遊技を防止するために磁力検出センサーを備えたものがあるため、パチンコ遊技機自体に磁石を取り付けることは現実的ではないのであり、特に、表示プレートに金属を取り付けることは余計な部品と手間が掛かり、それだけでもコストアップになるのである。
【００１２】
上記いずれの公知技術においても、表示板または表示プレート自体は、表示文字を紙に印刷したものが使用され、それを樹脂フィルムなどでラミネートしたものであって、煌びやかで目立つ表示はなされていないし、目立つようにする場合はＬＥＤチップを使用して面発光を形成するために、手数が掛かってコスト高になるとともに、電気配線などの余計な設備を必要とし、同時に配線設備のアフターケアが厄介になるという厄介な問題点を有している。
【００１３】
従って、前記従来技術に係る表示板または表示プレートにおいては、コストを抑えてしかも煌びやかで目立つ表示ができるようにすること、設備として無駄を無くすことに解決課題を有している。
【課題を解決するための手段】
【００１４】
本考案は、一対の透明または半透明の表層用シートまたはフィルム材と、文字表示及び図形または図柄表示を印刷した一対の透明な表示用シートまたはフィルム材と、高反射の金属を蒸着した一枚の反射用シートまたはフィルム材とからなり、前記反射用シートまたはフィルム材を中心にして、その両側面に表示用シートまたはフィルム材と、表層用シートまたはフィルム材とが一体的に積層された構成であることを特徴とする表示装置を提供するものである。
【００１５】
また、本考案の表示装置において、一つの側端部に支持部が突出形成されていること；および、前記一対の透明または半透明の表層用シートまたはフィルム材の間に、前記一枚の反射用シートまたはフィルム材を挟み、予め一つの側端部で溶着して表示装置用の基材としてあることを、さらに付加的な要件として含むものである。
【考案の効果】
【００１６】
本考案に係る表示装置は、要するに、高反射の金属を蒸着した一枚の反射用シートまたはフィルム材を中心部に配し、その両面に文字表示及び図形または図柄表示を印刷した一対の透明な表示用シートまたはフィルム材と、一対の表層用シートまたはフィルム材とを配設して一体的に積層した構成であるため、構成が簡単であると共に、無駄が全くない構成になり、しかも、中心部に配した反射用シートまたはフィルム材により照明光を反射して表示用シートまたはフィルム材に印刷した表示部分を鮮明に且つ煌びやかに表出させることができるのであり、表示効果を一段と向上させることができるという優れた効果を奏する。
【考案を実施するための最良の形態】
【００１７】
次に、本考案の実施の形態について図１〜図４を参照して説明する。図１は、本考案に係る一例の表示装置を示した正面図である。本考案に係る表示装置１は、例えば、表裏両面に「大当り」などの同一の文字表示２と、目立つような図形または図柄表示３が設けられると共に基端部側に係止部４が突出形成されたものであり、全体として樹脂製のプレート状に形成されたものである。
【００１８】
この表示装置１は、図２に示したように、予め３枚の同形状の樹脂製シートまたはフィルム材を重ね合わせた状態で基部側の端部で連結したものが使用される。この場合のシートまたはフィルム材（以下、代表してフィルム材という）としては、前後に位置する一対の表層用フィルム材５、６が透明または半透明な材料で形成され、中央部に位置する一枚のシートまたはフィルム材は、透明または半透明なフィルム材の一面に、例えば、アルミニウムのような高反射の金属を薄膜状に蒸着した反射フィルム材７が使用され、これら３枚を重ねた状態にして基部側の端部を線状に溶着８することによって連結状態に維持して一組の基材９としたものである。
【００１９】
なお、この一枚の反射フィルム材７は、全面が略均等に反射するような材料であっても良いし全体を格子状に区画して各区画部分が凸面鏡または凹面鏡のように、一部の反射に部分的な強弱をつけて反射するような材料であっても良いのである。そして、表層用フィルム材５、６よりも一回り小さく形成した方が良い。
【００２０】
この３枚一組の基材９は、図３に示したように、任意の文字表示２と図形または図柄表示３とがプリントされ個別に形成された一対の表示用フィルム材１０、１１と組み合わせて一体化するものである。
【００２１】
この表示用フィルム材１０、１１は、透明なフィルム材に例えば、「大当り」の文字表示２と爆発を表すような図形または図柄表示３とを多色で目立つように印刷したものであり、その平面形状は、前記表層用のフィルム材５、６の平面形状と略一致するが、前記反射フィルム材７と同様に一回り小さく形成した方が良い。この場合の印刷については、ジェット噴射印刷を使用するものである。
【００２２】
そして、前記基材９の３枚のフィルム材５、６、７の間に表示用フィルム材１０、１１を交互に挟み込んで組み合わせ、位置調整した後に加圧または圧着熱処理（ラミネートまたはパウチング）処理して一体化し、その後に支持部４を取り付けることによって、図１に示した表示装置１が簡単に形成できるのである。つまり、反射用フィルム材及び表示用フィルム材などの複数枚のフィルム材が一体的に積層された表示装置の構成になるのである。なお、同じ基材９を使用して、表示が異なる表示用フィルム材を適宜選択して使用すれば、異なる表示のものが容易に形成できるのである。
【００２３】
このように形成された表示装置１は、図４に示したように、取り付けて使用される。即ち、パチンコホールには、例えば、パチンコ台などの遊技機１２を配設するための取付枠１３が各島ごとに分けて予め設備されており、その取付枠１３に対して各遊技機１２毎の上部左側に取付部材１４が設けられており、該取付部材１４に対して、表示装置１の基部側の係止部４を落とし込むことによって、前面側に突出させて簡単に取り付けることができるのである。なお、その他に、例えば、出玉（コイン）を入れる容器の「ドル箱」等にも取り付け（装着または貼り付け）ることができる。
【００２４】
また、表示装置１においては、その構成部材として反射フィルム材７が存在するので、前記使用状態において店内の照明によって高輝度で反射するようになり、透明な表示用フィルム材１０、１１に印刷した文字表示２と図形または図柄表示３とが鮮明に且つ光輝の状態で煌びやかに表示されるのである。
【００２５】
さらに、表示用フィルム材１０、１１における表示文字としては、前記「大当り」の他に、「新台ＮＥＷ」、「イベント開催中」、「激震」、「１００００発ＯＶＥＲ」、「最新台」、「店長の推薦台」などであって、その表示は適宜のフレーズを選択して印刷するものである。また、表示装置１の全体形状としては、前記の他に、長方形、矩形、円形、楕円形などの任意の形状に形成することができる。
【産業上の利用可能性】
【００２６】
いずれにしても本考案に係る表示装置は、基本的には従来から使用されている文字表示や図柄表示を行うものであるが、透明なフィルムにジェット噴射印刷によって多色の鮮やかな色彩がプリントできるようになったことによって、その印刷した透明な表示用フィルム材と高反射の反射フィルム材とを組み合わせて加圧熱処理することで一体化し、従来にない煌びやかな反射表示ができる表示装置が得られたのであり、遊技機用に限らず、多くの表示装置にも広く利用できる可能性は大なのである。
【図面の簡単な説明】
【００２７】
【図１】本考案に係る１実施例の表示装置を示した正面図である。
【図２】同実施例の表示装置において、製造時に使用される一組の基材を示した斜視図である。
【図３】同実施例の表示装置において、一組の基材を使用して表示用フィルム材を挟み込む状況を示した斜視図である。
【図４】本考案に係る表示装置の使用例を示した遊技場ホールの一部斜視図である。
【符号の説明】
【００２８】
１  表示装置；    ２  文字表示；    ３  図柄表示；    ４  支持部；
５、６  表層用シートまたはフィルム材；    ７  反射用シートまたはフィルム材；    ８  線状の溶着；  ９  基材；  １０、１１  表示用シートまたはフィルム材；
１２  遊技機；  １３  取付枠；  １４  取付部材。
【図１】
0003123838.tif 000003
【図２】
0003123838.tif 000004
【図３】
0003123838.tif 000005
【図４】
0003123838.tif 000006